(57)【特許請求の範囲】
【請求項１】
概略Ｈ型状に形成したコンクリートブロック体を正面から見てＨ型の両端部を形成する突出片に、それぞれ補強用の鉄筋挿通孔を上下方向に貫通するように形成し、前記両端部の突出片の基部の内側にはそれぞれ土類投入口を上下方向に貫通して設けると共に、該土類投入口の内側には中央の対称線となる部分を挟むようにそれぞれ補強用の内側鉄筋挿通孔を上下方向に貫通して設けて、且つ、ブロックの正面側及び裏面側の前記土類投入口の開口縁部には前記Ｈ型端部の突出片よりは低い突起片をそれぞれ立設して、左右対称となるように形成してなることを特徴とする植生が可能な擁壁用ブロック体。
【請求項２】
前記コンクリートブロック体のＨ型の両端部を形成する突出片及び中央部寄りに設けられた内側鉄筋挿通孔の上端開口部には係合凸部が、下端開口部には係合凹部が、それぞれテーパ状に形成されて、前記両端部の突出片の下端開口部の係合凹部が中央部寄りの内側鉄筋挿通孔の上端開口部の係合突部に、それぞれ嵌合して積み重ね可能に設けられてなることを特徴とする請求項１に記載する植生が可能な擁壁用ブロック体。
【請求項３】
前記土塁投入口の開口縁部の突起片は、ブロック体の裏面側にのみ設けられてなることを特徴とする請求項１または２に記載する植生が可能な擁壁用ブロック体。
【請求項４】
前記ブロック体を中央の対称線の部分で二等分状に分割した形状の端部ブロック片に形成してなることを特徴とする請求項１乃至３のいずれかに記載される植生が可能な擁壁用ブロック体。
【請求項５】
前記鉄筋挿通孔及び土塁投入口は、矩形状に形成されてなることを特徴とする請求項１乃至４のいずれかに記載される植生が可能な擁壁用ブロック体。
【発明の詳細な説明】
【０００１】
【発明の属する技術分野】
本願発明は、宅地等の造成地や道路等の開削地の土類壁面を覆って保護するための擁壁に用いるブロックに係わり、特に、擁壁面に植物を植えることが可能なコンクリートブロックに関するものである。
【０００２】
【従来の技術】
従来から造成地等の土類法面を保護する擁壁としては、コンクリートを打設した基礎部分の上に通常のコンクリートブロックを鉄筋補強とモルタル接着により縦横に積み上げる工法が一般的に採用されていた。
上記のような工法により擁壁を形成するには、擁壁の裏側部分に栗石やコンクリート等を裏打ちしたり、水抜き穴を設けたりしなくてはならず、手間と費用がかかるのみならず、完成した擁壁は自然が損なわれて殺風景であり、更には、地盤の沈下等の異変により擁壁が不均一に変化して亀裂を生じたり、該亀裂部分に土圧が集中的に作用して不測の自体が発生する恐れもあった。
【０００３】
そこで、上記のような欠点をなくすように改善をしたブロックとして、特公昭６３−４０８９２号や特公平６−１１９７９号公報等に見るように、傾斜した土類法面に積み上げたブロック部分に草木を植えることが可能な擁壁用のブロックが知られている。
これらのブロックは、図８に示すように、前傾した前面壁１１の両側端部に、後壁１３よりも低い上端面１２ａと、下端面に後壁寄りも低い凹部１２ｂを設けた側壁１２を前面壁の上端より少許凹陥して一体に連設して、該側壁の後端間に土壌を抱持する後壁１３を連設して、平面が四辺形状をした箱状枠内に植生用の土類が充填可能なようにコンクリートを成形して植生可能な擁壁用ブロックＡに形成したもの、あるいは、前面壁１１の両側端部に連設した側壁１２と、該側壁に後壁１３を連設して略矩形状をしたブロックを形成して、前記前面壁の一部に開口部を設けると共に、後壁の上端部に凸部を、下端部に凹部を設けて植生可能な擁壁用ブロックを形成したものである。
【０００４】
そして、これらのブロックを積み重ねて擁壁を構築するには、図９に示すように、コンクリート等による基礎工事を行った法面の基礎７０上に前記ブロックＡを横幅よりも若干狭い間隔を保持して一つ置きに列設して最下段を据えつける。次いで、下段に配置した隣合うブロックの対向する側壁上に渡すようにブロックを離隔して積み上げて、傾斜した法面に市松模様状になるようにジクザク状に順次積み上げて固定しなくてはならない。
従って、これらの擁壁ブロックは、その構造上から傾斜した法面部分にしか積み上げるには適しているが、垂直な壁面に積み上げて擁壁を形成するのに用いることができないという欠点があった。
【０００５】
そこで、上記のような欠点をなくして、垂直な面や横方向に湾曲した面であっても、鉛直方向に積み上げるようにした擁壁ブロックで、該ブロックの前面には草木を植生できるようにしたものとして、特開平７−２３３５８６号公報に記載されたような発明のブロックがあるが、これは図１０に示すように、水平な上面と下面を有する略直方体形状をした基体後壁５０の両側に鉄筋とコンクリートにより固定するための透孔３０を設けると共に、該透孔の上面部には小さな段差部４０を形成し、透孔の下面部には前記段差部に係合する隆起部を形成して、前記左右の透孔の間に植栽用の土を投入する有底の凹所５０を形成したブロックＢである。
【０００６】
そして、上記のようなブロックを積み重ねて擁壁を構築するには、図１１に示すように、コンクリート等による基礎工事を行ってから、該基礎８０に固定した鉄筋を前記ブロックＢの透孔３０に挿通して補強すると共に隣のブロックとの間を接合溝６０により嵌合接続して固定しながら、基礎部分から順次積み重ねることにより擁壁を形成するようにしたものである。
しかし、このようなブロックによる擁壁の形成では、垂直な壁面には適しているが、しかし、傾斜した法面に適用して形成した擁壁面に植生を行うことには、その構造上からして無理がある。
【０００７】
そして、上記したようなブロックは、その後壁部１３，２０部分及び底壁部分がコンクリートで塞がったままで、ブロック内の土壌収容凹所とブロック裏面の土類層との間が遮断されていて、ブロック内の土壌収容部への通水及び通気が可能なように開口部が設けられておらず、ブロック内の土部に外部から水分の自然供給が行われないので、植生した箇所へは定期的に吸水をしてやらなければ、草木を枯らす恐れがあった。
また、大雨が降って大量の水が土壁面から漏出してくる恐れがある所では、自然透水がないので水圧により擁壁面が迫り出して崩壊することがないように、擁壁ブロックの裏面をコンクリートの裏込めなどにより充分に水圧に耐え得るように補強しておかなくてはならず、そのための工事費がより多くかかっていた。
【０００８】
【発明が解決しようとする課題】
本願発明は、鉛直方向にも、また、傾斜方向にも、更には、水平方向にも積み重ねることができる土木建設用ブロックにして、ブロック内に植生を可能にして、擁壁面の見栄えを良くすると共に、強度的にも充分であって、効率良く工事を行うことができて、自然透水性を有する擁壁ブロックを提供することを目的とする。
【０００９】
【課題を解決するための手段】
本願発明は、ブロック本体をコンクリートにより概略Ｈ型に形成して、該Ｈ型の両端部にそれぞれ補強用の鉄筋挿通孔を上下方向に貫通するように形成すると共に、前記Ｈ型の両端部の内側部分にそれぞれ土類投入口を上下方向に貫通して設け、更に、該土類投入口の内側寄りにそれぞれ補強用の鉄筋挿通孔を上下方向に貫通して設けて、前記鉄筋挿通孔の上端開口部には係合凸部を、下端開口部には係合凹部をそれぞれテーパ状に形成すると共に、前記土類投入口の開口端部に植生のための突起片を形成して、積み重ねが容易で、植生が可能な擁壁ブロックを形成する。
【００１０】
コンクリート等により基礎仕上げをして固定した基礎ブロックの上に、前記擁壁ブロックを前面が市松模様状になるように前記係合用の凹凸部分を係合せしめると共に、前記鉄筋挿通孔に補強用の鉄筋を挿通して順次上方に積み重ねて擁壁を形成してから、前記土類投入口に土等を投入してブロックの植生用空間部に充填して、植物が植生可能なブロック擁壁を構成する。
【００１１】
【作用】
布基礎等の基礎仕上げをした所定形状の基礎ブロック上に、最下段部分となる本願発明のＨ型ブロックを横方向に固定して、２段目となるＨ型ブロックの両端部のＨ型部分の一つの端部の下端凹部が下段ブロックの中央部分の上面凸部に、Ｈ型部の他端部の下端凹部が下段隣のブロックの中央部の上面凸部に係合するように、上段ブロックを跨がらせて積み重ねると共に、鉄筋挿通孔に補強用の鉄筋を挿通せしめて該挿通孔にセメントやモルタル等の充填固化材を充填して固定してブロック擁壁を形成する。
そして、土類投入口から植物を植生可能な土等を投入して、前記ブロックのＨ型の凹上部分の間に形成された空間部を該土等により充満せしめて、該空間部に植生可能区域を形成して、該植生可能区域部分に草木その他を植生して緑化ブロック擁壁を形成する。
【００１２】
【実施例】
本願発明について、以下に最適な一実施例をもとに、図面を参照しながら詳細に説明する。
本願の発明は、コンクリートを成形型に注入して、図１乃至３に示すように、概略Ｈ型状をしたブロック体１に成形して、該ブロック体を積み重ねて自立した擁壁を形成可能にしたものである。
図１に示すのは、前記ブロック体１の斜視図であり、Ｈ型状をしたブロックを正面から見て、その両端部の上下に側壁面となる部分には上下に突出した突出片４１，４２が設けられており、この突出片の中央部分には、それぞれ補強用の鉄筋を挿通するための挿通孔４１ａ，４２ａが上下方向に貫通して形成されると共に、該挿通孔の上端開口縁部には、図３に示すように、ブロック体を積み重ねるのに適した外向きにテーパ状をなした係合用凸部４１ｂ，４２ｂが、また、その下端開口部には内向きにテーパ状をなした係合用凹部４１ｃ，４２ｃが、それぞれ形成されて対称となる中央線部分を挟んで左右対称な構造をしている。
【００１３】
更に、前記Ｈ型ブロック体の左右両端部に突出せしめた突出片４１，４２を立ち上げた基部の内側には、それぞれ土類を投入する投入口５１，５２が、上下方向にブロック体を貫通して形成されると共に、該投入口の開口縁部には、ブロックの正面（表面）側及び反対面（裏面）側の両側に前記Ｈ型の端部突出片４１，４２よりは低い突起片５１ａ，５１ｂ，５２ａ，５２ｂがそれぞれ立設されて、、ブロック体が積み上げた際に、土類を投入して植生可能な開口部９を形成するようになっている。
また、前記左右の投入口５１，５２の内側となるブロック体の中央部寄りには、二つの内側鉄筋挿通孔６１，６２が上段及び下段ブロックの端部の鉄筋挿通孔４１ａ，４２ａと貫通するように形成されると共に、内側鉄筋挿通孔６１，６２の上端開口部には、外向きにテーパ状をした係合用凸部６１ａ，６２ａが、また、下端開口部には内向きにテーパ状をした係合用凹部６１ｂ，６２ｂが、それぞれ形成されて、ブロック体の積み重ね作業を容易にして、且つ、植生が可能である自立型をした擁壁用ブロック体１に形成されている。
【００１４】
また、本願発明のブロック体を積み上げて擁壁を形成する際には、擁壁の左端部または右端部となる端部を形成するためのブロック部材として、図５に示すように、上記したＨ型のブロック体１を中央部分で二等分に分割した形状の端部ブロック片２が必要となる。
即ち、擁壁の端部を形成する端部ブロック片２は、鉄筋挿通孔４２ａを形成した端部突出片４の内側基部に土類投入口５を設けると共に該端部突出片の反対側端部に鉄筋挿通孔６を設けて形成されて、前記鉄筋挿通孔４２ａの上面には係合凸部を、下面には係合凹部をそれぞれ形成して、上段及び下段のＨ型のブロック体１の鉄筋挿通孔に形成した係合部に嵌合可能として、土類投入口の端部には突起片５２ａ，５２ｂを形成した端部ブロック片２となる
【００１５】
上記のような構造をした本願発明のブロック体１は、上下に積み重ねられるブロックが四箇所の凹凸状をした係合部４１ｂ，４２ｂ，６１ａ，６２ａでそれぞれ相互に嵌合可能な自立型に形成したものであるから、垂直面でも傾斜面でも、また、水平面でも積み重ねた施工が可能である。
尚、上記ブロック体において、鉄筋挿通孔及び土類投入口が矩形状をしたもので説明しているが、本願発明はこのような形状のものに限られるものではなく、必要に応じて丸穴その他の形状をしたものに形成することができるのは言うまでもなく、鉄筋の本数についても適宜の数に選択することができるものである。
【００１６】
本願発明のブロック体を、土壁面やその他の壁面に垂直に積み上げてブロック擁壁を構築するには、次のようにして施工される。
地表面を適切に掘削して布基礎面を仕上げた上に基礎ブロック３ａを水平に設置すると共に、所定位置に補強用の鉄筋１０を上方へ垂直に突出せしめて植設して、Ｈ型ブロックの端部及び内側の各鉄筋挿通孔４１ａ，４２ａ，６１，６２におのおの鉄筋を挿通せしめて、ブロック本体１下面の各係合凹部４１ｃ，４２ｃ，６１ｂ，６２ｂを基礎ブロック３ａ上面の設けられた係合凸部に係合するように一段目のブロック体１を順次横方向へ接合して積み重ねる。
【００１７】
このようにして、一段目のブロック体１が積み終わったら、二段目の端部には、図５に示すように、Ｈ型ブロック本体を中央部分で二等分にした形状の端部ブロック片２の各鉄筋挿通孔６，４２ａに前記補強用鉄筋１０を挿通して、該ブロック片の下端部の係合凹部を一段目のブロック上面の係合凸部４１ｂ，６１ａに係合させて、端面を一段目のＨ型ブロック体１の端面に揃えるようにして積み重ねる。
そして、端部ブロック片２を積んだら、その隣には前記した一段目と同様にＨ型ブロック本体１を横方向に積み重ねて行き、最終端部に再び端部ブロック片２を逆向きにして一段目のＨ型ブロックの端面に揃えて積み重ねる。
【００１８】
このような作業を繰り返して積み重ねることにより、上段ブロックと下段ブロックのそれぞれのＨ型の端部片の間に土類投入口５１，５２に連通する植生用の開口部９が形成される。
そして、縦及び横方向に必要な数のブロック体を積み上げたら、前記各鉄筋挿通孔にコンクリートもしくはモルタル等を流し込んで補強用鉄筋をくるむようにして鉄筋挿通孔を完全に埋設すると共に、前記土類投入口に植生する植物に適した土類を投入して土類投入空間を完全に埋設する。
このようにして作業が完全に終わったら、最上部のブロック体の上端開口部を所定の上蓋部材で塞いで擁壁の構築作業は完了する。
【００１９】
また、本願発明のブロック体を用いて、傾斜した土壁面に積み上げてブロック擁壁を構築したり、河川の堤防工事を行ったりする場合には、次のようにして施工される。
施工する場所の地表面を若干掘削してコンクリートの布基礎面に仕上げた上に、図７に示すように、Ｈ型ブロックを所定の角度に傾けて積み上げるように形成した基礎ブロック３ｂを固定すると共に、所定位置に補強用の鉄筋１０を上方に突出するように植設して、積み上げるＨ型ブロック体１，２の鉄筋挿通孔に該鉄筋を挿通すると共に該ブロック体下面の係合凹部に基礎ブロックの係合凸部を係合せしめて、各ブロック体の裏面を土壁面に接するようにして一段目を積み上げる、そして、二段目以降は、上記した垂直面の積み上げ作業と同じ手順に従って順次積み上げて行けばよい。
【００２０】
本願発明のブロック体により構築された擁壁は、上下、左右のブロック相互間の結合が、係合凸部と凹部との嵌合により正確に接続されて、且つ、補強鉄筋とコンクリートにより頑丈に固定されたものである。
更に、土類投入路は、ブロックの最上段から最下段まで連続して形成されていて、また、植生用の開口部分の裏側は土壁面に接して連通するように形成されて、通水性を有するように構成されている。
従って、通常時には、植生区域には水分が土類投入路の上下面及び土壁面から自然給水されてるので、乾燥して植物が枯れる恐れがなく、また、大雨の時には、土壁面からの漏水は土類投入路を経て多くの植生開口部から排水されるので、水圧により擁壁が崩壊する恐れもない。
【００２１】
尚、上記に説明したブロック体１は、その植生用の開口部を形成するために土類投入口の各開口端部に設ける突起片５１ａ，５１ｂ，５２ａ，５２ｂを、ブロック体１の表側及び裏側の両面にそれぞれ設けたものであったが、ブロック体１が土壁面に直接に接している裏面は、水圧や土圧等の大きな力に耐え得るものでなければならないが、ブロック体の表面は開放状態で風雨に耐え得るだけで充分である。
【００２２】
従って、図１に示すブロック体１の突起片５１ｂ，５２ｂは必要に応じて省略して、擁壁の裏面側となる開口端部の突起片５１ａ，５２ａのみを設けて、図４に示すようなブロック体１に形成して使用することも可能である。
そして、図４に示すようなブロック体１を積み上げて形成した擁壁は、植生区域が広く開口して形成されて、より多くの、または、より大きな草木の植生が可能となり、また、水圧等により土類が押し出される恐れもない。
また、本願発明のブロック体は、土類投入口の開口端部に設けた突起片の高さを変えたものを形成することにより、ブロック擁壁の植生用開口部の開口面積を調節することが可能である。
【００２３】
本願発明のブロックは水平構築が可能であるから、堤防や崖部の擁壁以外に、河川の川床部の根固め部材としても用いることが可能である。
河川の川底に根固め部材として敷きつめた場合には、土類投入路に土または小石を充填すると、色々な水棲昆虫や微生物が棲息てきたり、また、水草が植生できて、水質の浄化や美観に役立てることができる。
また、土類投入路に土を充填せずに空洞のままにしておくと、川床の保全のみならず、魚類その他の水棲動物の住処もしくは隠れ場所としても有効に役立てることができる。
【００２４】
【発明の効果】
本願発明はブロックの形状を自立可能な略Ｈ型にして、その両端部と中央部とに上下方向に貫通して設けた補強用の鉄筋挿通孔の開口部に係合用の凹凸を設けてあるので、積み上げ作業が非常に容易であると共に、垂直方向、傾斜方向及び水平方向にも積み上げることができる。
また、Ｈ型ブロックの両端部と中央部とに設けた鉄筋挿通孔の間に上下方向に貫通して形成される土類投入路の途中に一部開口して形成される植生区域は、ブロックの前後面が開口するように形成されているので、自然通水が行われるので栽培土が乾燥して植物が枯れる恐れがなく、また、大雨等で地層から漏水しても自然に排水されるので擁壁が崩壊する恐れもない。
【図面の簡単な説明】
【図１】本願発明の第１実施例のブロック体を示す斜視図である。
【図２】図１に示した本願発明のブロック体のＸ−Ｘ方向の横断面である。
【図３】図１に示した本願発明のブロック体のＹ−Ｙ方向の縦断面である。
【図４】本願発明の第２実施例のブロック体を示す斜視図である。
【図５】本願発明の第１実施例のブロック体を積み上げに用いる端部ブロック体を示す斜視図である。
【図６】本願発明の第１実施例のブロック体を積み上げる垂直ブロック擁壁を示す斜視図である。
【図７】本願発明の第１実施例のブロック体を積み上げる傾斜ブロック擁壁を示す斜視図である。
【図８】本願発明の先行例のブロック体を示す斜視図である。
【図９】図８に示すブロック体を積み上げた擁壁を示す断面図である。
【図１０】本願発明の別の先行例のブロック体を示す斜視図である。
【図１１】図１０に示すブロック体を積み上げた擁壁を示す断面図である。
【符号の説明】
１    本発明のブロック体
２    本発明の積み上げに用いる端部ブロック体
３ａ，３ｂ  基礎ブロック体
４，４１，４２  Ｈ型ブロックの端部片
４１ａ，４２ａ  鉄筋挿通孔
４１ｂ，４２ｂ  係合凸部
４１ｃ，４２ｃ  係合凹部
５，５１，５２  土類投入路
５１ａ，５１ｂ，５２ａ，５２ｂ  突起片
６，６１，６２  鉄筋挿通孔
６１ａ，６２ａ  係合凸部
６１ｂ，６２ｂ  係合凹部
９    開口部
１０  補強用鉄筋
１１  ブロック前壁
１２  ブロック側壁
１３  ブロック後壁
２０  ブロック基体
３０  透孔
４０  段差部
５０  土類収容凹所
６０  接合溝
７０，８０  基礎
【図１】
0004048234.tif 000002
【図２】
0004048234.tif 000003
【図３】
0004048234.tif 000004
【図４】
0004048234.tif 000005
【図５】
0004048234.tif 000006
【図６】
0004048234.tif 000007
【図７】
0004048234.tif 000008
【図８】
0004048234.tif 000009
【図９】
0004048234.tif 000010
【図１０】
0004048234.tif 000011
【図１１】
0004048234.tif 000012